(57)【特許請求の範囲】
【請求項１】
抽選確率が互いに異なる複数の抽選機構が設けられ、複数のプレイヤに対して共通して設けられる抽選ゲームとして、前記複数の抽選機構の中から選択された選択抽選機構による抽選を実行するゲーム機であって、
プレイヤの操作を受け付ける複数の操作手段と、
所定の変更条件が満たされると、前記操作手段からの操作入力に応じて、前記選択抽選機構を他の抽選機構に変更する抽選機構変更手段と、
前記抽選ゲームとして、前記選択抽選機構による抽選を実行する抽選実行手段と、を備え、
前記抽選実行手段は、前記抽選機構変更手段による前記選択抽選機構の変更を前記抽選ゲームをプレイする他のプレイヤに対しても適用して抽選を実行するゲーム機。
【請求項２】
抽選確率が互いに異なる複数の抽選機構が設けられ、複数のプレイヤに対して共通して設けられる抽選ゲームとして、前記複数の抽選機構の中から所定の組み合わせで選択される複数の選択抽選機構による複数回の抽選を実行するゲーム機であって、
プレイヤの操作を受け付ける複数の操作手段と、
所定の変更条件が満たされると、前記操作手段からの操作入力に応じて、前記複数の選択抽選機構のうち少なくともいずれか一つの抽選機構を他の抽選機構に変更する抽選機構変更手段と、
前記抽選ゲームとして、前記複数の選択抽選機構による抽選を所定の順番で実行する抽選実行手段と、を備え、
前記抽選実行手段は、前記抽選機構変更手段による前記複数の選択抽選機構の組み合わせの変更を、前記抽選ゲームをプレイする他のプレイヤに対しても適用して抽選を実行するゲーム機。
【請求項３】
前記複数の抽選機構のそれぞれの抽選確率が低いほど、配当が高額となるように設定されている請求項１又は２に記載のゲーム機。
【請求項４】
前記変更条件として、前記抽選ゲームによる抽選での落選が設定され、前記抽選機構変更手段は、落選したプレイヤに対して、前記選択抽選機構の変更を許可する請求項１〜３のいずれか一項に記載のゲーム機。
【請求項５】
複数の選択肢のうちいずれか一つの選択肢を抽選する選択肢抽選手段を備え、
前記複数の選択肢のうち少なくとも一つの選択肢が、前記選択抽選機構の変更をプレイヤに許可する変更選択肢であり、
前記変更条件として、前記選択肢抽選手段による抽選での前記変更選択肢の当選が設定され、前記抽選機構変更手段は、当選したプレイヤに対して、前記選択抽選機構の変更を許可する請求項１〜３のいずれか一項に記載のゲーム機。
【請求項６】
所定の投票条件が満たされると、前記複数のプレイヤによる投票に基づいて前記複数の抽選機構の中から変更すべき抽選機構を決定する投票実行手段を備え、
前記変更条件として、前記投票条件が満たされることが設定され、前記抽選機構変更手段は、前記選択抽選機構を前記投票実行手段による投票に基づいて決定した抽選機構に変更する請求項１〜３のいずれか一項に記載のゲーム機。
【請求項７】
前記投票条件として、前記抽選ゲームにおける全プレイヤの累計落選回数が所定数に達することが設定されている請求項６に記載のゲーム機。
【請求項８】
抽選確率が互いに異なる複数の抽選機構が設けられ、複数のプレイヤに対して共通して設けられる抽選ゲームとして、前記複数の抽選機構の中から選択された選択抽選機構による抽選を実行する複数のゲーム機と、前記複数のゲーム機のそれぞれとネットワークを介して接続されたサーバ装置と、を備えたゲームシステムであって、
プレイヤの操作を受け付ける複数の操作手段と、
所定の変更条件が満たされると、前記操作手段からの操作入力に応じて、前記複数のゲーム機の前記選択抽選機構を他の抽選機構に変更する抽選機構変更手段と、
前記抽選ゲームとして、前記選択抽選機構による抽選を実行する抽選実行手段と、を備え、
前記抽選実行手段は、前記抽選機構変更手段による前記選択抽選機構の変更を各ゲーム機で前記抽選ゲームをプレイする他のプレイヤに対しても適用して抽選を実行するゲームシステム。
【請求項９】
プレイヤの操作を受け付ける複数の操作手段と、抽選確率が互いに異なる複数の抽選機構が設けられ、複数のプレイヤに対して共通して設けられる抽選ゲームとして、前記複数の抽選機構の中から選択された選択抽選機構による抽選を実行するゲーム機で実行されるゲームの制御方法であって、
所定の変更条件が満たされると、前記操作手段からの操作入力に応じて、前記選択抽選機構を他の抽選機構に変更する抽選機構変更工程と、
前記抽選ゲームとして、前記選択抽選機構による抽選を実行する抽選実行工程と、と備え、
前記抽選実行工程では、前記抽選機構変更工程による前記選択抽選機構の変更を前記抽選ゲームをプレイする他のプレイヤに対しても適用して抽選を実行するゲームの制御方法。
【発明の詳細な説明】
【技術分野】
【０００１】
本発明は、複数の選択肢から抽選される選択肢に基づいて配当を獲得可能な抽選ゲームを備えたゲーム機等に関する。
【背景技術】
【０００２】
例えば、メダルゲーム機において、複数の選択肢から抽選される選択肢に基づいて、プレイヤが配当を獲得可能な抽選ゲームを備えたゲーム機が周知である（例えば特許文献１参照）。このようなゲーム機においては、様々な抽選ゲームが設けられ、プレイヤは、ゲーム進行に応じた抽選ゲームに挑戦でき、当選すると各抽選ゲームで定められた配当を獲得できる。
【先行技術文献】
【特許文献】
【０００３】
【特許文献１】特開２０１０−１１０５２５号公報
【発明の概要】
【発明が解決しようとする課題】
【０００４】
上述のゲーム機では、各抽選ゲームの抽選確率や配当は予め定められ、プレイヤはゲーム進行に応じてプレイ可能な抽選ゲームをプレイする。通常、ジャックポット抽選のように高配当な抽選ゲームは、プレイヤはいつでも挑戦できるわけではなく、複数の抽選ゲームに当選した上で、ジャックポット抽選に挑戦するように設定されている。従って、抽選ゲームの順番や設定が固定されていると、最初の抽選ゲームに当選しなければ次の抽選ゲームに進めず、ゲームが単調となりがちである。
【０００５】
そこで、本発明は抽選ゲームの設定を柔軟に変更可能なゲーム機等を提供することを目的とする。
【課題を解決するための手段】
【０００６】
本発明のゲーム機は、抽選確率が互いに異なる複数の抽選機構（５１ａ〜５１ｄ）が設けられ、複数のプレイヤに対して共通して設けられる抽選ゲームとして、前記複数の抽選機構の中から選択された選択抽選機構による抽選を実行するゲーム機（１）であって、プレイヤの操作を受け付ける複数の操作手段（１４）と、所定の変更条件が満たされると、前記操作手段からの操作入力に応じて、前記選択抽選機構を他の抽選機構に変更する抽選機構変更手段（４０）と、前記抽選ゲームとして、前記選択抽選機構による抽選を実行する抽選実行手段（４０）と、を備え、前記抽選実行手段は、前記抽選機構変更手段による前記選択抽選機構の変更を前記抽選ゲームをプレイする他のプレイヤに対しても適用して抽選を実行することにより上記課題を解決する。
【０００７】
本発明のゲーム機は、抽選確率が互いに異なる複数の抽選機構（５１ａ〜５１ｄ）が設けられ、複数のプレイヤに対して共通して設けられる抽選ゲームとして、前記複数の抽選機構の中から所定の組み合わせで選択される複数の選択抽選機構による複数回の抽選を実行するゲーム機（１）であって、プレイヤの操作を受け付ける複数の操作手段（１４）と、所定の変更条件が満たされると、前記操作手段からの操作入力に応じて、前記複数の選択抽選機構のうち少なくともいずれか一つの抽選機構を他の抽選機構に変更する抽選機構変更手段（４０）と、前記抽選ゲームとして、前記複数の選択抽選機構による抽選を所定の順番で実行する抽選実行手段（４０）と、を備え、前記抽選実行手段は、前記抽選機構変更手段による前記複数の選択抽選機構の組み合わせの変更を、前記抽選ゲームをプレイする他のプレイヤに対しても適用して抽選を実行することにより上記課題を解決する。
【０００８】
本発明のゲーム機によれば、選択抽選機構による抽選をする抽選ゲームでプレイヤは、所定の変更条件が満たされると、選択抽選機構を他の抽選機構に変更できる。変更した抽選機構は、ゲーム機でプレイする他のプレイヤに対しても適用される。従って、抽選ゲームの設定を柔軟に変更でき、プレイヤは抽選ゲームにおいて好みの抽選機でゲームをプレイすることができる。また、その変更は他のプレイヤに対しても適用されるので、ゲーム機全体で一体感が生じ、抽選機構の変更というプレイヤ間での駆け引きも生じることになる。よって、ゲームプレイの緊張感が増し、ゲームの興趣を向上させる。
【０００９】
本発明のゲーム機の一形態において、前記複数の抽選機構のそれぞれの抽選確率が低いほど、配当が高額となるように設定されていてもよい。これによれば、各抽選機構の抽選確率や配当がそれぞれ異なるので、プレイヤの好みに応じた抽選機構を選択させることができる。低い抽選確率であっても高配当を狙うプレイヤや、低配当だが高確率で当選することを好むプレイヤの希望に沿った抽選機構を提供できる。
【００１０】
本発明のゲーム機の一形態において、前記変更条件として、前記抽選ゲームによる抽選での落選が設定され、前記抽選機構変更手段は、落選したプレイヤに対して、前記選択抽選機構の変更を許可してもよい。これによれば、抽選ゲームで落選したプレイヤは、選択抽選機構を変更できる。自分の落選した選択抽選機構を好みの抽選機構に変更できるので、次回の抽選ゲームで当選する期待度が高まり、ゲーム継続の動機付けとなる。
【００１２】
本発明のゲーム機の一形態において、複数の選択肢のうちいずれか一つの選択肢を抽選する選択肢抽選手段（４０）を備え、前記複数の選択肢のうち少なくとも一つの選択肢が、前記選択抽選機構の変更をプレイヤに許可する変更選択肢であり、前記変更条件として、前記選択肢抽選手段による抽選での前記変更選択肢の当選が設定され、前記抽選機構変更手段は、当選したプレイヤに対して、前記選択抽選機構の変更を許可してもよい。これによれば、ゲーム機における抽選ゲーム以外のゲームで変更選択肢が当選すると、プレイヤは抽選ゲームの選択抽選機構を変更できる。プレイヤが抽選ゲームをプレイしなくても抽選ゲームの選択抽選機構を変更でき、他のプレイヤが抽選ゲームをするときにゲーム進行にかかわることができる。従って、ゲーム機でプレイするプレイヤ間に一体感が生じ、ゲームを盛り上げることができる。
【００１３】
本発明のゲーム機の一形態において、所定の投票条件が満たされると、前記複数のプレイヤによる投票に基づいて前記複数の抽選機構の中から変更すべき抽選機構を決定する投票実行手段（４０）を備え、前記変更条件として、前記投票条件が満たされることが設定され、前記抽選機構変更手段は、前記選択抽選機構を前記投票実行手段による投票に基づいて決定した抽選機構に変更してもよい。これによれば、投票条件が満たされると、ゲーム機でプレイするプレイヤ間で変更したい抽選機構を決定する投票が実行される。例えば、最も得票数が多い抽選機構に変更する場合は、プレイヤの得票数に応じて決定された抽選機構に変更される。ゲーム機でプレイする全プレイヤが参加できるので、プレイヤ間に一体感が生じ、ゲームを盛り上げることができる。
【００１４】
投票実行手段が設けられた形態において、前記投票条件として、前記抽選ゲームにおける全プレイヤの累計落選回数が所定数に達することが設定されていてもよい。これによれば、抽選ゲームの当選者が出ていない状況で投票を実行し、ゲーム機でプレイするプレイヤが最も希望する抽選機構に変更することで、抽選ゲームでの当選の期待度が高まる。
【００１５】
本発明のゲームシステムは、抽選確率が互いに異なる複数の抽選機構（５１ａ〜５１ｄ）が設けられ、複数のプレイヤに対して共通して設けられる抽選ゲームとして、前記複数の抽選機構の中から選択された選択抽選機構による抽選を実行する複数のゲーム機と、前記複数のゲーム機のそれぞれとネットワークを介して接続されたサーバ装置と、を備えたゲームシステムであって、プレイヤの操作を受け付ける複数の操作手段（１４）と、所定の変更条件が満たされると、前記操作手段からの操作入力に応じて、前記複数のゲーム機の前記選択抽選機構を他の抽選機構に変更する抽選機構変更手段（４０）と、前記抽選ゲームとして、前記選択抽選機構による抽選を実行する抽選実行手段（４０）と、を備え、前記抽選実行手段は、前記抽選機構変更手段による前記選択抽選機構の変更を各ゲーム機で前記抽選ゲームをプレイする他のプレイヤに対しても適用して抽選を実行することにより上記課題を解決する。
【００１６】
複数のゲーム機とサーバとがネットワークを介して接続され、各ゲーム機でプレイする全てのプレイヤは抽選ゲームで同じ選択抽選機構を使用する。選択抽選機構が変更される場合は、全てのプレイヤの選択抽選機構が変更される。従って、抽選ゲームの設定を柔軟に変更でき、プレイヤは抽選ゲームにおいて好みの抽選機でゲームをプレイすることができる。また、その変更は他のプレイヤに対しても適用されるので、ゲーム機全体で一体感が生じ、抽選機構の変更というプレイヤ間での駆け引きも生じることになる。よって、ゲームプレイの緊張感が増し、ゲームの興趣を向上させる。
【００１７】
本発明のゲームの制御方法は、プレイヤの操作を受け付ける複数の操作手段（１４）と、抽選確率が互いに異なる複数の抽選機構（５１ａ〜５１ｄ）が設けられ、複数のプレイヤに対して共通して設けられる抽選ゲームとして、前記複数の抽選機構の中から選択された選択抽選機構による抽選を実行するゲーム機（１）で実行されるゲームの制御方法であって、所定の変更条件が満たされると、前記操作手段からの操作入力に応じて、前記選択抽選機構を他の抽選機構に変更する抽選機構変更工程（Ｓ１８〜Ｓ２０、Ｓ３３、Ｓ４５）と、前記抽選ゲームとして、前記選択抽選機構による抽選を実行する抽選実行工程（Ｓ１、Ｓ４、Ｓ７）と、と備え、前記抽選実行工程では、前記抽選機構変更工程による前記選択抽選機構の変更を前記抽選ゲームをプレイする他のプレイヤに対しても適用して抽選を実行することにより上記課題を解決する。本発明の制御方法が実行されることにより、本発明のゲーム機が実現される。
【００１８】
なお、以上の説明では本発明の理解を容易にするために添付図面の参照符号を括弧書きにて付記したが、それにより本発明が図示の形態に限定されるものではない。
【発明の効果】
【００１９】
以上、説明したように、本発明によれば、選択抽選機構による抽選をする抽選ゲームでプレイヤは、所定の変更条件が満たされると、選択抽選機構を他の抽選機構に変更できる。変更した抽選機構は、ゲーム機でプレイする他のプレイヤに対しても適用される。従って、抽選ゲームの設定を柔軟に変更でき、プレイヤは抽選ゲームにおいて好みの抽選機でゲームをプレイすることができる。また、その変更は他のプレイヤに対しても適用されるので、ゲーム機全体で一体感が生じ、抽選機構の変更というプレイヤ間での駆け引きも生じることになる。よって、ゲームプレイの緊張感が増し、ゲームの興趣を向上させる。
【図面の簡単な説明】
【００２０】
【図１】本発明の一形態に係るゲーム機の全体図。
【図２】ステーションユニットの要部拡大図。
【図３】ゲーム機の制御系の主要部の構成を示す機能ブロック図。
【図４】各ステーションユニットのモニタに表示されるゲーム画面の一例を示す図。
【図５】ゲーム画面におけるボーナスゲームの一例を示す図。
【図６】共通ディスプレイ装置に表示される抽選機の一例を示す図。
【図７】共通ディスプレイ装置に表示される抽選機の他の例を示す図。
【図８】共通ディスプレイ装置に表示される抽選機の他の例を示す図。
【図９】共通ディスプレイ装置に表示される抽選機の他の例を示す図。
【図１０】制御ユニットが実行するチャンスゲーム制御処理ルーチンを示すフローチャート。
【図１１】制御ユニットが実行する抽選機変更処理ルーチンを示すフローチャート。
【図１２】本発明の第１の変形例に係るゲーム機の制御ユニットが実行する抽選機変更処理ルーチンを示すフローチャート。
【図１３】本発明の第２の変形例に係るゲーム機の制御ユニットが実行する抽選機変更処理ルーチンを示すフローチャート。
【発明を実施するための形態】
【００２１】
図１は、本発明の一形態に係るゲーム機の全体図である。ゲーム機１は、複数のステーションユニット２と、センターユニット３とを備えている。ゲーム機１は、遊戯媒体としてメダルを利用するメダルゲーム機であり、プレイヤが投入するメダルと引換えに所定範囲のゲームプレイを許可する。プレイヤは各ステーションユニット２でゲームをプレイする。図２は、ステーションユニット２の要部拡大図である。各ステーションユニット２には、メダル投入口１１と、硬貨投入口１２と、ゲーム画面を表示するモニタ１３と、操作手段としてのモニタ１３に重ね合わされた透明なタッチパネル１４と、ボーナスゲーム開始の目安を表示する一対のボーナスステップ表示部１５と、チャンスゲームを開始する一対のチャンスゲームボタン１６とを備えている。
【００２２】
ステーションユニット２では、２人プレイが可能であり、左右両側にそれぞれ設けられたボーナスステップ表示部１５及びチャンスゲームボタン１６が各プレイヤに割り当てられる。ボーナスステップ表示部１５には、複数のライトが設けられ、ゲーム進行に応じてライトが点灯する。全てのライトが点灯すると、ボーナスゲームが実行される。所定のゲーム条件を満たすと、チャンスゲームボタン１６を押すことができる。チャンスゲームボタン１６が押されると、チャンスゲームが実行される。メダル投入口１１及び硬貨投入口１２は、各プレイヤに共通に設けられている。硬貨投入口１２には、例えば１００円硬貨を投入することで１００円で交換可能な枚数のメダルＭが保持され、プレイに応じてメダルＭが消費される。モニタ１３には、一例として液晶ディスプレイ装置が適用され、モニタ１３に重ね合わされたタッチパネル１４をプレイヤが操作することによりゲームが進行する。
【００２３】
センターユニット３には、共通ディスプレイ装置４が設けられている。共通ディスプレイ装置４には、筺体２１と、筺体２１に支持された、第１表示装置としての液晶ディスプレイ２２、及び複数の第２表示装置としてのＬＥＤ素子２３で構成されるＬＥＤディスプレイ２４が設けられている。液晶ディスプレイ２２には、長方形状の各種周知の液晶ディスプレイ装置が適用される。ＬＥＤディスプレイ２４には、ＬＥＤ素子２３を覆う光拡散パネル２５が設けられている。光拡散パネル２５は、表面に凹凸が設けられた樹脂製の板で、ＬＥＤ素子２３が発する光を拡散する。光拡散パネル２５には、周知の光拡散板を利用してよい。さらに、ＬＥＤディスプレイ２４の周囲には、ＬＥＤディスプレイ２４を取り囲むように複数の装飾ライト２１ａが配置されている。液晶ディスプレイ２２及びＬＥＤディスプレイ２４の周囲にさらに、装飾、電飾が施されていてもよい。液晶ディスプレイ２２及びＬＥＤディスプレイ２４を一つのディスプレイとして全体ディスプレイと称することがある。共通ディスプレイ装置４の内部には、図示しない回転駆動機構が設けられている。回転駆動機構は、全体ディスプレイを回転駆動する。
【００２４】
図３は、ゲーム機１の制御系の主要部の構成を示す機能ブロック図である。ゲーム機１は、制御ユニット４０と、記憶装置４１とが設けられている。制御ユニット４０は、マイクロプロセッサと、そのマイクロプロセッサにて実行されるべきオペレーティングシステム等のプログラムが記録されたＲＯＭ、及びマイクロプロセッサに対する作業領域を提供するＲＡＭ等の内部記憶装置（不図示）とを備えたコンピュータユニットである。制御ユニット２０には、タッチパネル１４及びチャンスゲームボタン１６等の入力装置と、モニタ１３、ボーナスステップ表示部１５、液晶ディスプレイ２２、ＬＥＤディスプレイ２４、及び回転駆動機構２８等の出力装置とが、それぞれ接続される。
【００２５】
制御ユニット４０の内部には、ゲーム制御部４２及び抽選機管理部４３が設けられる。ゲーム制御部４２及び抽選機管理部４３は、制御ユニット４０のコンピュータハードウエアと所定のソフトウエアとの組み合わせによって実現される論理的装置である。ゲーム制御部４２は、ゲーム機１におけるゲームの開始、進行、及び終了の管理、並びにプレイ料金の徴収といったアーケードゲームのプレイに関連した各種の処理を実行する。抽選機管理部４３は、チャンスゲームで利用する抽選機の選択や管理を担当する。その他、図示しないが、ゲーム機１の制御ユニット４０では、モニタ１３や共通ディスプレイ装置４の表示制御処理や、プレイヤから徴収したメダルや硬貨の管理処理等の各種処理を実行する。
【００２６】
記憶装置４１には、ゲームプログラム４４及びプレイデータ４５が記録されている。ゲームプログラム４４は、制御ユニット４０が実行することにより、ゲーム機１でプレイ可能なゲームを提供する。プレイデータ４５は、プレイヤ毎にプレイしたゲームのデータが記録される。プレイヤＩＤが記録されたカードでプレイヤの認証をするようにゲーム機１が構成され、プレイヤＩＤと関連付けられたプレイデータの一部をサーバから取得してもよい。
【００２７】
図４を参照して、ゲーム機１で実行されるゲームの説明をする。図４は、各ステーションユニット２のモニタ１３に表示されるゲーム画面ＧＳの一例を示している。ゲーム画面ＧＳには、各プレイヤが操作するプレイヤキャラクタＰＣ１、ＰＣ２（区別する必要がない場合は、参照符号ＰＳで代表する。）と、敵キャラクタＥＳと、プレイヤキャラクタＰＣが投げるボールＢとが表示される。プレイヤは、ゲーム機１に投入したメダルの枚数に応じてプレイヤキャラクタＰＣにボールＢを投げさせることができる。ボールＢが敵キャラクタＥＳに当たると、敵キャラクタＥＣは倒される。敵キャラクタＥＣを倒すと、ゲーム画面ＧＳの中央奥側に設けられたゲートＧＴが開く。ボールＢがゲートＧＴ内の当り穴Ｈに入るとボーナスステップ表示部１５に設けられたライトが一つ点灯する。ボーナスステップ表示部１５のライトが全て点灯すると、モニタ１３にてボーナスゲームが開始される。
【００２８】
図５は、ゲーム画面ＧＳの他の例を示した図である。図５のゲーム画面ＧＳでは、ボーナスゲームの一例を示している。ボーナスゲームにおいて、プレイヤは、所定数の大ボール（一例として５個）を付与され、ボスキャラクタＥＣＢに大ボールを当てて倒す。ボスキャラクタＥＣＢを倒すと、プレイヤにチャンスゲームボタン１６を押すことを許可する。プレイヤがチャンスゲームボタン１６を押すとチャンスゲームが開始される。チャンスゲームは、共通ディスプレイ装置４に表示される。チャンスゲームにおいては、複数の抽選機構としての複数の抽選機が用意され、各抽選機では、抽選確率の異なる抽選が行われる。３つの抽選機で行われる抽選に当選すると、プレイヤはジャックポットを獲得できる。
【００２９】
図６〜図９は、共通ディスプレイ装置４に表示される抽選機の一例を示している。図６の抽選機５１ａは、ピンボール型の抽選機構を有しており、所定の抽選穴５２ａに抽選ボール５３が入ると当選となる。図７の抽選機５１ｂは、パチンコ型の抽選機構を有しており、所定の抽選穴５２ｂに抽選ボール５３が入ると当選となる。図８の抽選機５１ｃは、クルーン型の抽選機構を有しており、所定の抽選穴５２ｃに抽選ボール５３が入ると当選となる。図９の抽選機５１ｄは、スロット型の抽選機構を有しており、所定の番号が揃うと当選となる。抽選ゲームとしてのチャンスゲームでは、一例として、最初の抽選として抽選機５１ａを用いた抽選が実行される。当選すると、２回目の抽選として抽選機５１ｂを用いた抽選が実行される。当選すると、３回目の抽選として抽選機５１ｃを用いた抽選が実行される。３回目の抽選に当選すると、プレイヤはジャックポットを獲得できる。一方、当選しなかった場合、チャンスゲームは終了し、抽選結果に応じてメダルの払い出しがされ、通常のゲームに戻る。チャンスゲームの３回の抽選で用いられる抽選機は、それぞれ予め指定されているが、所定の変更条件を満たすことにより変更が可能である。変更条件については後述する。
【００３０】
チャンスゲームで行われる３つの抽選機の当選確率は、初期設定として、最初の抽選機５１ａで当選確率が１／２、次の抽選機５１ｂで当選確率が１／５、最後の抽選機５１ｃで当選確率が１／１０のように設定され、１００枚のメダルをかけたときの各期待値は１００枚に設定される。各抽選機５１で当選するとプレイヤは、１回目の抽選機５１ａではメダル１００枚を掛け金として、メダル２００枚、２回目の抽選機５１ｂでは１回目の抽選で獲得したメダル２００枚を掛け金としてメダル１０００枚、３回目の抽選機５１ｃでは２回目の抽選で獲得したメダル１０００枚を掛け金としてメダル１００００枚の払い出しを受けられる。このように各抽選機５１ａ〜５１ｃでの当選確率はそれぞれ異なり、当選確率に応じて配当額も異なる。当選確率が低いほど配当は高額になる。本形態では、抽選機による一回の抽選で掛けるメダルの掛け金１００枚に対し、期待値１００枚に設定される。その他、ビンゴ型抽選機や、ポーカー等のカードゲーム型抽選機等様々なミニゲームによる抽選機が設けられ、異なる抽選確率が設定されている。
【００３１】
図１０は、制御ユニット４０が実行するチャンスゲーム制御処理ルーチンを示すフローチャートである。チャンスゲーム制御処理ルーチンは、ボーナスゲームにてボスキャラクタＥＣＢを倒し、チャンスゲームボタン１６が押されたことを条件として実行されるチャンスゲームのゲーム進行を制御する処理である。制御ユニット４０は、抽選機５１ａを用いた第１回目の抽選を実行する（ステップＳ１）。抽選機５１ａに設定された抽選確率で抽選する。抽選には乱数が用いられる。制御ユニット４０は、第１回目の抽選に当選したか否かを判別する（ステップＳ２）。当選している場合、制御ユニット４０は配当を払い出し（ステップＳ３）、抽選機５１ｂを用いた第２回目の抽選を実行する（ステップＳ４）。２回目の抽選では、第１回目の配当を掛け金としてプレイする。制御ユニット４０は、第２回目の抽選に当選したか否かを判別し（ステップＳ５）、当選している場合、配当を払い出す（ステップＳ６）。制御ユニット４０は、第２回目の抽選で払い出された配当を掛け金として第３回目の抽選を実行する（ステップＳ７）。制御ユニット４０は、第３回目の抽選に当選したか否かを判別し（ステップＳ８）、第３回目の抽選で当選すると、制御ユニット４０は、所定の演出とともにジャックポットを払い出し（ステップＳ９）、今回の処理を終了する。一方、各回の抽選で落選すると、制御ユニット４０は、抽選結果に応じた処理を実行し（ステップＳ１０）、今回の処理を終了する。抽選結果に応じて、少額の配当や、ゲームで利用できるアイテム等がプレイヤに付与される。
【００３２】
上述の処理では、チャンスゲームでは、抽選機５１ａ〜５１ｃによる最大３回の抽選が実行され（ステップＳ１、Ｓ４、Ｓ７）、第３回目の抽選に当選するとジャックポットを獲得できる（ステップＳ９）。制御ユニット４０のゲーム制御部４２が実行するステップＳ１、Ｓ４、Ｓ７の処理が抽選実行手段として機能する。
【００３３】
図１１は、制御ユニット４０が実行する抽選機変更処理ルーチンを示すフローチャートである。抽選機変更処理ルーチンは、チャンスゲームで用いられる抽選機を変更する処理である。変更条件として、チャンスゲームでの抽選で落選することが設定されている。まず、制御ユニット４０は、チャンスゲームで、プレイヤが抽選機５１ａによる第１回目の抽選に当選したか否かを判別する（ステップＳ１１）。当選した場合、制御ユニット４０は、配当をプレイヤに付与する（ステップＳ１２）。そして、制御ユニット４０は、プレイヤに付与された配当を掛け金として、抽選機５１ｂによる第２回目の抽選を実行し、当選したか否かを判別する（ステップＳ１３）。当選した場合、制御ユニット４０は、配当をプレイヤに付与する（ステップＳ１４）。制御ユニット４０は、プレイヤに付与された配当を掛け金として、抽選機５１ｃによる第３回目の抽選を実行し、当選したか否かを判別する（ステップＳ１５）。当選した場合、プレイヤにはジャックポットが付与される（ステップＳ１６）。
【００３４】
一方、ステップＳ１１、Ｓ１３又はＳ１５のいずれかの抽選で落選した場合、制御ユニット４０は、抽選結果に応じた処理をする（ステップＳ１７）。抽選結果に応じて、少額の配当や、ゲームで利用できるアイテム等がプレイヤに付与される。そして、制御ユニット４０は、プレイヤが落選した抽選機の変更を許可する（ステップＳ１８）。プレイヤが第１回目の抽選で落選した場合には、プレイヤは、第１回目の抽選で用いられた抽選機５１ａを変更させることが可能になる。制御ユニット４０は、プレイヤからの変更を受け付ける（ステップＳ１９）。プレイヤが抽選機５１ｄに変更する指示をタッチパネル１４に入力すると、制御ユニット４０は、第１回目の抽選に用いる抽選機を抽選機５１ａから抽選機５１ｄに変更する（ステップＳ２０）。変更した抽選機５１ｄは、ゲーム機１でプレイする他のプレイヤに対しても適用され、再び変更されない限り、次のチャンスゲームをプレイするプレイヤは、第１回目の抽選で抽選機５１ｄによる抽選をすることになる。抽選機が変更されることにより、プレイヤの好みが反映され、例えば、当りやすいが配当が低い抽選機ばかりがセットされることになったり、逆に高額配当が設定された抽選機がセットされたりする。チャンスゲームに参加できないプレイヤであっても、チャンスゲームの設定を変更できるので、自分の設定した抽選機で他のプレイヤが当選したり、落選したりする様を楽しむことができる。
【００３５】
上述の処理によれば、プレイヤがチャンスゲームで落選すると（ステップＳ１１、Ｓ１３、Ｓ１５）、抽選結果に応じた処理（ステップＳ１７）がされた後、落選した抽選機の変更をすることができる（ステップＳ１８）。プレイヤは、設定したい抽選機を選択し（ステップＳ１９）、抽選機が変更される（ステップＳ２０）。ここで変更された抽選機は、ゲーム機１全体の設定として適用され、他のプレイヤがチャンスゲームをプレイすることになった場合には、変更された抽選機でプレイすることになる。チャンスゲームにおいて、ゲーム機１をプレイするプレイヤの好みが反映されたゲームとなる。プレイヤは自分の設定した抽選機でプレイすることを目的とすることにもなる。また、一方で、他のプレイヤのチャンスゲームを妨害するような抽選機をわざと設定するようにすることもできる。よって、ゲーム機１のゲーム性が多様化し、ゲームの興趣を高めることができる。上述の処理において、制御ユニット４０の抽選機管理部４３が実行するステップＳ１１、Ｓ１３、Ｓ１５の処理が抽選実行手段として機能し、ステップＳ１８〜Ｓ２０の処理が抽選機構変更手段として機能する。チャンスゲームで選択されている３つの抽選機が選択抽選機構に相当する。
【００３９】
本発明は、上述した形態に限定されることなく、種々の形態にて実施することができる。例えば、本形態では、変更条件として、チャンスゲームによる抽選での落選が設定されていたがこれに限られない。例えば、通常のゲームで行われるスロット抽選やルーレット抽選等において、抽選の選択肢として抽選機の変更権利を設け、変更条件として、この変更権利を獲得することが設定されていてもよい。以下に第１の変形例を説明する。第１の変形例においても、抽選機変更処理と、通常ゲームで実行される各種の抽選で変更権利の選択肢を設ける他は、上述の形態と同様であるので説明を省略する。図１２は、本発明の第１の変形例に係るゲーム機１の制御ユニット４０が実行する抽選機変更処理ルーチンを示すフローチャートである。制御ユニット４０は、まず、通常ゲームのルーレット抽選を実行する（ステップＳ３１）。一例として、通常ゲームで行われるルーレット抽選で説明する。このルーレット抽選は、図４のゲーム画面ＧＳに示されたゲートＧＴの所定の穴にボールＢが落下したときに実行される。また、所定の敵キャラクタＥＣを倒したとき等、所定のゲーム条件が満たされたときに実行するようにしてもよい。ルーレット抽選には、メダルの払い出しや、アイテムの付与等の選択肢が設定されているが、そのうちの少なくとも一つの選択肢が変更選択肢としての抽選機の変更権利に設定されている。
【００４０】
制御ユニット４０は、ルーレット抽選を実行し、その抽選結果が変更権利の付与か否かを判別する（ステップＳ３２）。ルーレット抽選の抽選結果が変更権利の付与であった場合、制御ユニット４０は、プレイヤに抽選機の変更を許可し（ステップＳ３３）、今回の処理を終了する。プレイヤが獲得した変更権利は、ルーレット抽選後、共通ディスプレイ装置４にて、抽選機が変更されることを他のプレイヤに告知し、抽選機の選択を表示するようにしてもよいし、チャンスゲームの実行時に、変更権利を有するプレイヤに対して抽選機の変更をするか否か尋ねるようにしてもよい。また、獲得した変更権利は、プレイデータ４５に記憶され、プレイヤが任意のタイミングで変更権利を使用してもよい。一方、ステップＳ３２で抽選結果が変更権利以外の選択肢であった場合、制御ユニット４０は、抽選結果に応じた処理を実行し（ステップＳ３４）、今回の処理を終了する。
【００４１】
上述の処理では、ゲーム機１で実行されるいずれかの抽選ゲームで抽選機の変更権利の選択肢が当選すると（ステップＳ３２）、当選したプレイヤに抽選機の変更を許可する（ステップＳ３３）。通常ゲームで行われるルーレット抽選はチャンスゲームと比較して多く実行されるので、プレイヤは、チャンスゲームの抽選機変更の機会を得やすい。自分が好みの抽選機に変更してもチャンスゲームをプレイするまでに他のプレイヤが変更する可能性もあるため、他のプレイヤとの間で駆け引きが生まれ、ゲームに緊張感が生じる。好みの抽選機に設定されている間にチャンスゲームをプレイするという動機付けにもなり、ゲームの興趣を高めることができる。第１の変形例において、制御ユニット４０のゲーム制御部４２が実行するステップＳ３１の処理が選択肢抽選手段として機能し、抽選機管理部４３が実行するステップＳ３３の処理が抽選機構変更手段として機能する。
【００４２】
また、抽選機の変更は、ゲーム機１でプレイする全プレイヤが参加可能な投票によって決定するようにしてもよい。投票イベントを開催し、プレイヤの多数決によって、変更対象の抽選機と、変更したい抽選機とを決定する。以下に、第２の変形例を説明する。第２の変形例においても、抽選機変更処理と、投票イベントの開催以外は上述の形態と同様であるので説明を省略する。図１３は、本発明の第２の変形例に係るゲーム機１の制御ユニット４０が実行する抽選機変更処理ルーチンを示すフローチャートである。制御ユニット４０は、まず、投票イベントを開催するための投票条件としてのイベント発生条件が満たされたか否かを判別する（ステップＳ４１）。イベント発生条件として、例えば、ゲーム機１でチャンスゲームに挑戦して、ジャックポットの獲得に失敗した回数が累計１０回に達したことが設定される。ジャックポットの獲得は、第３回目の抽選で当選することで獲得できるが、第３回目の抽選での落選の他、第１回目又は第２回目での落選も失敗した回数として計数する。
【００４３】
イベント発生条件を満たすと、制御ユニット４０は、投票イベントを開催する（ステップＳ４２）。投票イベントでは、各ステーションユニット２のモニタ１３に投票イベント開催の告知が表示され、変更対象の抽選機と、変更後の抽選機の組み合わせが複数種類提示される。変更対象の抽選機として、各回の抽選に用いられる抽選機の少なくともいずれか一つが指定される。制御ユニット４０は、プレイヤからの投票を受け付ける（ステップＳ４３）。制御ユニット４０は、所定の期間投票を受け付け、期間経過後は投票が締め切られ、投票結果を提示する（ステップＳ４４）。そして、制御ユニット４０は、得票数が多かった組み合わせの抽選機に設定を変更し（ステップＳ４５）、今回の処理を終了する。例えば、「第３回目の抽選機を抽選機５１ｄにする」という組み合わせが最も得票数が多かった場合、第３回目の抽選機を抽選機５１ｄに変更する。ゲーム機１でプレイする全プレイヤが投票イベントに参加でき、最も得票数の高かった組み合わせが抽選機として設定される。ゲーム機１でプレイするプレイヤ間に一体感を形成し、ゲームを盛り上げることができる。
【００４４】
上述の処理では、イベント発生条件が変更条件として機能し、投票イベントが発生すると（ステップＳ４２）、最も得票数の多い抽選機の組み合わせに変更される（ステップＳ４５）。制御ユニット４０のゲーム制御部４２が実行するステップＳ４１〜Ｓ４４の処理が投票実行手段として機能し、ステップＳ４５の処理が抽選機構変更手段として機能する。なお、投票イベントで決定する抽選機は、得票数が最も多い抽選機に限られず、例えば、得票数が最も低い抽選機に変更してもよい。予め設定された所定数の得票数の抽選機に変更するようにしてもよい。プレイヤ間で駆け引きが生じ投票イベントを盛り上げることができる。
【００４５】
上述の形態では、チャンスゲームとして、抽選機による３回の抽選を実行したがこれに限られない。例えば、１回の抽選でもよい。１回の抽選に使用する抽選機を上述の変形例を含めた形態で変更できる。抽選機による抽選の回数や、複数回抽選する場合に変更可能な抽選機の指定、例えば最初の抽選機のみ変更可能にする等、適宜の変更が可能である。なお、上述の形態において、複数の形態を重複させてもよい。例えば、チャンスゲームに落選したプレイヤが抽選機の変更ができるとともに、通常ゲームのルーレット抽選で変更権利の選択肢が当選するようにしてもよい。また、複数の抽選機５１ａ〜５１ｃに対して全ての抽選機を変更してもいいし、任意の組み合わせで変更してもよい。変更対象の抽選機は適宜変更できる。
【００４６】
上述の形態では、ゲーム機１がスタンドアロン型の装置として説明したが、これに限られない。複数のゲーム機１がネットワークを介して相互に接続され、各ゲーム機１で共通のチャンスゲームを実行し、抽選機の変更が各ゲーム機１間で共有されるようにしたゲームシステムとして構成されてもよい。相互に接続される複数のゲーム機１のうち、一台のゲーム機１をマスタ機として設定し、マスタ機で抽選機の変更に関する処理を実行するようにすればよい。その他のゲーム機１はスレーブ機として、マスタ機で決定した抽選機の変更を各スレーブ機でも設定すればよい。また、複数のゲーム機１とサーバ装置とをネットワークを介して相互に接続し、サーバ装置にて、抽選機の変更や設定に関する処理を実行するようにしてもよい。これにより、各ゲーム機では、共通の抽選機を用いたチャンスゲームを実行することができる。また、抽選機が変更されるタイミングも共通させることができ、一体感を共有することができる。例えば、全国の店舗に設けられたゲーム機で、全国的なイベントを開催して、ゲームを盛り上げたりすることができる。
【００４７】
上述の形態において、抽選機は、制御ユニット４０で構成される電子的抽選機構で説明したが、これに限られない。例えば、物理的抽選機構であってもよい。スロット装置や、ルーレット装置、ピンボール装置、パチンコ装置等各種の物理的抽選機構をゲーム機内に設け、抽選のときにプレイヤが使用したい抽選機を選択できるようにすればよい。抽選機は、それぞれ異なるゲームの抽選機構で説明したがこれに限られない。例えば、同型のゲームの抽選機構が設けられていてもよい。同型の抽選機構であっても抽選確率の設定を変更する等、初心者用や上級者用の抽選機構を設けるようにしてもよい。また、抽選確率や配当も柔軟に変更できる。わざと抽選確率も配当も少ない抽選機を設けたり、所定の条件で、高抽選確率でかつ高配当の抽選機を選択できるようにしてもよい。抽選確率は、各抽選機の選択時にプレイヤに提示してもよいし、提示せずプレイヤにわからないようにしてもよい。
【符号の説明】
【００４８】
１  ゲーム機
２  ステーションユニット
４  共通ディスプレイ装置
１３  モニタ
１４  タッチパネル
４０  制御ユニット（抽選実行手段、抽選機構変更手段、選択肢抽選手段、投票実行手段）
４１  記憶装置
【図１】
0005602180.tif 000002
【図２】
0005602180.tif 000003
【図３】
0005602180.tif 000004
【図４】
0005602180.tif 000005
【図５】
0005602180.tif 000006
【図６】
0005602180.tif 000007
【図７】
0005602180.tif 000008
【図８】
0005602180.tif 000009
【図９】
0005602180.tif 000010
【図１０】
0005602180.tif 000011
【図１１】
0005602180.tif 000012
【図１２】
0005602180.tif 000013
【図１３】
0005602180.tif 000014